(57)【要約】【解決手段】本体Ｄ１を、底部１と周状側壁部２と上端周状フランジ部３と前記周状側壁部の相対する側部を架橋する本体側区画壁部４とから構成するとともに、蓋体Ｄ２を、天部１０と周状側壁部１１と下端周状フランジ部１２と前記周状側壁部の相対する側部を架橋する蓋側区画壁部１３とから構成し、前記本体を前記蓋体で被蓋した際には、前記本体側区画壁部と前記蓋側区画壁部が当接するように構成したダネッジに関するものである。【効果】本体を蓋体で被蓋した際には、前記本体側区画壁部と前記蓋側区画壁部とにより、物品が収容される物品収容空間が、略完全に区画されるので、ダネッジの運搬時や搬送時に、隣り合う物品収容空間に収容された物品同士が、当接し合って、物品が損傷するようなことを防止することができる。【選択図】図１０
2006315696.tif 000002
【特許請求の範囲】
【請求項１】
本体と該本体に被蓋される蓋体とからなるダネッジにおいて、前記本体が、底部と周状側壁部と上端周状フランジ部と前記周状側壁部の相対する側部を架橋する本体側区画壁部とから構成されているとともに、前記蓋体が、天部と周状側壁部と下端周状フランジ部と前記周状側壁部の相対する側部を架橋する蓋側区画壁部とから構成されており、前記本体を前記蓋体で被蓋した際には、前記本体側区画壁部と前記蓋側区画壁部が当接するように構成されていることを特徴とするダネッジ。
【請求項２】
前記本体を構成する前記本体側区画壁部に、凹状溝部が形成されているとともに、前記蓋体を構成する前記蓋体蓋側区画壁部に、突条部が形成されており、前記本体が前記蓋体で被蓋された際には、前記本体側区画壁部に形成された凹状溝部に、前記蓋体蓋側区画壁部に形成された突条部が嵌合されるように構成されていることを特徴とする請求項１に記載のダネッジ。
【請求項３】
前記本体を構成する本体側区画壁部に、本体側傾斜当接面が形成されているとともに、前記蓋体を構成する蓋側区画壁部に、前記本体側傾斜当接面に載置される蓋側傾斜当接面が形成されていることを特徴とする請求項１又は請求項２に記載のダネッジ。
【発明の詳細な説明】
【技術分野】
【０００１】
本発明は、物品の形状に応じた複数の収容空間を有する、合成樹脂で一体成形された本体と蓋体とからなるダネッジに関するものである。
【背景技術】
【０００２】
物品の形状に応じた複数の収容空間を有する本体に、複数の物品を収容し、その後、物品が収容された本体に、蓋体を被せることにより構成されたダネッジが、一例として、特許文献１に開示されている。
【０００３】
【特許文献１】特開平５−２５４５４２号公報
【発明の開示】
【発明が解決しようとする課題】
【０００４】
上述したダネッジにおいては、物品の形状に応じた複数の収容空間が、隣接する物品同士が接触しないように分離されていないために、ダネッジの運搬や搬送等際に、物品同士が接触し損傷するという問題があった。
【０００５】
また、ダネッジを段積みした際に、ダネッジを構成する本体や蓋体の強度や剛性が低いために、下に位置するダネッジを構成する本体や蓋体が変形したり、座屈を起こして、下に位置するダネッジに収容された物品が損傷したり、或いは、ダネッジを、安定した状態で段積みすることができないという問題があった。
【０００６】
本発明の目的は、上述した従来のダネッジが有する課題を解決することにある。
【課題を解決するための手段】
【０００７】
本発明は、上述した目的を達成するために、本体と該本体に被蓋される蓋体とからなるダネッジにおいて、第１には、前記本体を、底部と周状側壁部と上端周状フランジ部と前記周状側壁部の相対する側部を架橋する本体側区画壁部とから構成するとともに、前記蓋体を、天部と周状側壁部と下端周状フランジ部と前記周状側壁部の相対する側部を架橋する蓋側区画壁部とから構成し、前記本体を前記蓋体で被蓋した際には、前記本体側区画壁部と前記蓋側区画壁部が当接するように構成したものであり、第２には、前記本体を構成する前記本体側区画壁部に、凹状溝部を形成するとともに、前記蓋体を構成する前記蓋体蓋側区画壁部に、突条部を形成し、前記本体が前記蓋体で被蓋された際には、前記本体を構成する前記本体側区画壁部に形成された凹状溝部に、前記蓋体を構成する前記蓋体蓋側区画壁部に形成された突条部が嵌合するように構成したものであり、第３には、前記本体を構成する本体側区画壁部に、本体側傾斜当接面を形成するとともに、前記蓋体を構成する蓋側区画壁部に、前記本体側傾斜当接面に載置される蓋側傾斜当接面を形成したものである。
【発明の効果】
【０００８】
本体を蓋体で被蓋した際には、前記本体に形成された本体側区画壁部と前記蓋体に形成された蓋側区画壁部が当接するように構成されているので、前記本体側区画壁部と前記蓋側区画壁部とにより、物品が収容される物品収容空間が、略完全に区画されるので、ダネッジの運搬時や搬送時に、隣り合う物品収容空間に収容された物品同士が、当接し合って、物品が損傷するようなことを防止することができる。
【０００９】
また、本体が蓋体で被蓋された際には、前記本体に形成された本体側区画壁部と前記蓋体に形成された蓋側区画壁部が当接するように構成されているので、下に位置するダネッジに、他のダネッジを段積みした際に、下に位置するダネッジの前記本体側区画壁部と前記蓋側区画壁部とが、上下方向に連結された一種の支持柱として機能するので、下に位置するダネッジが、上に位置するダネッジの重量により、変形したり座屈するようなことを防止することができる。
【００１０】
本体を構成する本体側区画壁部に形成された凹状溝部に、蓋体を構成する蓋体蓋側区画壁部に形成された突条部が嵌合するように構成されているので、前記蓋体に対する前記本体の水平移動を抑制することができる。
【００１１】
また、本体を構成する本体側区画壁部に形成された凹状溝部に、蓋体を構成する蓋体蓋側区画壁部に形成された突条部が嵌合するように構成されているので、ダネッジに、他のダネッジを段積みした際には、上に位置するダネッジの重量により、前記突条部が、より深く、前記凹状溝部に嵌合することになるので、ダネッジを段積みした際に、上に位置するダネッジが、下に位置するダネッジに対して、水平移動するようなことを、より確実に防止することができるとともに、下に位置するダネッジの本体に対する蓋体の横方向のずれを、確実に防止することができる。
【００１２】
本体を構成する本体側区画壁部に、本体側傾斜当接面を形成するとともに、蓋体を構成する蓋側区画壁部に、前記本体側傾斜当接面に載置される蓋側傾斜当接面を形成したので、前記蓋体が、前記本体に対して、ずれていても、前記蓋側傾斜当接面が、前記本体側傾斜当接面に沿って、スライド移動することになるので、適正位置に、前記蓋体を、前記本体に被蓋することができ、従って、本体への蓋体の被蓋作業の作業性が向上する。
【実施例】
【００１３】
以下に、本発明の実施例について説明するが、本発明の趣旨を越えない限り、何ら、本実施例に限定されるものではない。
【００１４】
先ず最初に、図１〜図３を用いて、ダネッジを構成する本体Ｄ１について説明する。
【００１５】
上方に開口部を有する箱型の本体Ｄ１は、底部１と、底部１を囲むように形成されているとともに外側に傾斜している周状側壁部２と、周状側壁部２の上端から外側に向かって略水平に延在する上端周状フランジ部３とを有している。本実施例においては、周状側壁部２は、相対する長側部２ａと相対する短側部２ｂとから形成されている。なお、３ａは、上端周状フランジ部３の周縁から下方に延在する折り返し部であり、このような折り返し部３ａを垂設することにより、上端周状フランジ部３の強度や剛性、ひいては、本体Ｄ１自体の強度や剛性を高めることができる。
【００１６】
本体Ｄ１には、周状側壁部２の相対する長側部２ａを架橋する本体側区画壁部４を形成することにより、物品の略下半分が収容される複数の物品収容下部空間Ａ１が形成されている。本実施例には、一例として、４個の本体側区画壁部４を形成することにより、本体Ｄ１に、５室の物品収容下部空間Ａ１が形成されている例が示されている。
【００１７】
図３や図８に示されているように、本体側区画壁部４は、周状側壁部２を形成する相対する長側部２ａを架橋する相対する側壁４ａと同じく相対する長側部２ａを架橋する天部４ｂとを有している。本体側区画壁部４の一方の長側部２ａ側に位置する天部４ｂには、上端周状フランジ部３より一段低い嵌合凹部４ｃが形成されており、嵌合凹部４ｃは、略平坦な上面４ｃ１と、上面４ｃ１の本体側区画壁部４の長手方向に沿った相対する縁部に突設された一対の突条４ｃ２とから形成されている。
【００１８】
また、本体側区画壁部４の天部４ｂの中央領域には、上端周状フランジ部３と略面一な本体側水平当接面４ｄが形成されており、本体側水平当接面４ｄには、本体側区画壁部４の長手方向に沿って、凹状溝部４ｄ１が形成されている。更に、本体側水平当接面４ｄと、嵌合凹部４ｃから遠い方のもう一方の長側部２ａとの間に位置する本体側区画壁部４の天部４ｂには、もう一方の長側部２ａに向かうに従って、下方に傾斜した本体側傾斜当接面４ｅが形成されており、本体側傾斜当接面４ｅにも、本体側区画壁部４の長手方向に沿って、凹状溝部４ｅ１が形成されており、本体側傾斜当接面４ｅに形成された凹状溝部４ｅ１は、本体側水平当接面４ｄに形成された凹状溝部４ｄ１に連続して形成されている。
【００１９】
本実施例には、本体側区画壁部４に形成された嵌合凹部４ｃと本体側水平当接面４ｄとの間に、嵌合凹部４ｃ及び本体側水平当接面４ｄより一段下がった落込み部５が形成されている例が示されているが、このような落込み部５は、適宜、省略することができ、この場合には、本体側水平当接面４ｄが、嵌合凹部４ｃまで延長されることになる。例えば、物品収容下部空間Ａ１に収容される物品の一部に、環状部が形成されている場合には、落込み部５の上面に突部を形成し、物品の環状部に、突部を嵌合させるとにより、物品の移動を抑制することができる。なお、６は、もう一方の長側部２ａの内面と本体側傾斜当接面４ｅの上面とにより形成される隅部に形成された隅突部であり、隅突部６の上面は、上端周状フランジ部３と略面一に形成されている。
【００２０】
本体Ｄ１の上端周状フランジ部３の四隅には、上端周状フランジ部３の四隅を、下方に凹ますことにより、嵌合凹部７が形成されている。なお、嵌合凹部７の物品収容下部空間Ａ１側には、切り欠き部７ａが形成されているが、嵌合凹部７を、全周に側壁を有する窪み状に形成することもできる。
【００２１】
８は、物品収容下部空間Ａ１を形成する周状側壁部２の短側部２ｂと底部１とにより形成される隅部及び本体側区画壁部４の側壁４ａと底部１とにより形成される隅部に形成された、側面形状が三角形状のずれ止めリブであり、物品収容下部空間Ａ１を形成する相対する短側部２ｂと本体側区画壁部４の側壁４ａ及び物品収容下部空間Ａ１を形成する相対する本体側区画壁部４の側壁４ａには、相対するように、ずれ止めリブ８が形成されている。ずれ止めリブ８の傾斜面８ａに、物品の一部が当接することにより、物品の横方向へのずれを抑制することができる。なお、９は、底部１を、裏面側から上方に膨出することにより形成された内側膨出部であり、このような内側膨出部９を、底部１の物品が接触する部分に形成することにより、底部１の裏面には、段積み用嵌合凹部９’が形成されることになる。また、内側膨出部９、換言すれば、段積み用嵌合凹部９’を形成することにより、底部１の下方への変形を防止することができるとともに、底部１の強度や剛性、ひいては、本体Ｄ１全体の強度や剛性を高めることができる。
【００２２】
上述した構成を有する本体Ｄ１は、熱可塑性シートを、真空成形や圧空成形により成形することにより、一体的に形成されている。
【００２３】
次に、図４〜図６を用いて、ダネッジを構成する蓋体Ｄ２について説明する。  
【００２４】
下方に開口部を有する箱型の蓋体Ｄ２は、天部１０と、天部１０を囲むように形成されているとともに外側に傾斜している周状側壁部１１と、周状側壁部１１の下端から外側に向かって略水平に延在する下端周状フランジ部１２とを有している。本実施例においては、周状側壁部１１は、相対する長側部１１ａと相対する短側部１１ｂとから形成されている。蓋体Ｄ２の下方開口部は、本体Ｄ１の上方開口部と略同じ大きさに形成されているとともに、本体Ｄ１に、蓋体Ｄ２を被せた際には、本体Ｄ１の上端周状フランジ部３に、蓋体Ｄ２の下端周状フランジ部１２が、略重なるように載置されるように構成されている。なお、１２ａは、下端周状フランジ部１２の周縁から上方に延在する折り返し部であり、このような折り返し部１２ａを立設することにより、下端周状フランジ部１２の強度や剛性、ひいては、蓋体Ｄ２自体の強度や剛性を高めることができる。
【００２５】
蓋体Ｄ２には、周状側壁部１１の相対する長側部１１ａを架橋する蓋側区画壁部１３を形成することにより、物品の略上半分が収容される複数の物品収容上部空間Ａ２が形成されている。本実施例には、一例として、４個の蓋側区画壁部１３を形成することにより、蓋体Ｄ２に、５室の物品収容上部空間Ａ２が形成されている例が示されている。上述したように、本体Ｄ１に、蓋体Ｄ２を被せた際には、本体Ｄ１の本体側区画壁部４と蓋体Ｄ２の蓋側区画壁部１３とが、平面的に見て、略一致するように構成されている。
【００２６】
図６や図８に示されているように、蓋側区画壁部１３は、周状側壁部１１を形成する相対する長側部１１ａを架橋する相対する側壁１３ａと同じく相対する長側部１１ａを架橋する下面部１３ｂとを有している。蓋側区画壁部１３の一方の長側部１１ａ側に位置する下面部１１ｂには、下端周状フランジ部１２を越えて下方に突出した嵌合突部１３ｃは形成されており、嵌合突部１３ｃの下面１３ｃ１は、略平坦に形成されている。本体Ｄ１に、蓋体Ｄ２を被せた際には、嵌合突部１３ｃは、本体側区画壁部４に形成された嵌合凹部４ｃに嵌合され、嵌合突部１３ｃの下面１３ｃ１は、本体側区画壁部４に形成された嵌合凹部４ｃの上面４ｃ１に載置されるように構成されている。蓋体Ｄ２が、本体Ｄ１に対して、本体Ｄ１の周状側壁部２を形成する長側部２ａに沿って水平移動しようとした際には、蓋体Ｄ２に形成された嵌合突部１３ｃの下端部が、本体Ｄ１に形成された嵌合凹部４ｃの突条４ｃ２に当接し、蓋体Ｄ２の本体Ｄ１の周状側壁部２を形成する長側部２ａに沿った水平移動が抑制されることになる。
【００２７】
また、蓋側区画壁部１３の下面部１３ｂの中央領域には、下端周状フランジ部１２と略面一な蓋側水平当接面１３ｄが形成されており、蓋側水平当接面１３ｄには、蓋側区画壁部１３の長手方向に沿って、突条部１３ｄ１が形成されている。更に、蓋側水平当接面１３ｄと、嵌合突部１３ｃから遠い方のもう一方の長側部１１ａとの間に位置する蓋側区画壁部１３の下面部１３ｂには、もう一方の長側部１１ａに向かうに従って、下方に傾斜した蓋側傾斜当接面１３ｅが形成されており、蓋側傾斜当接面１３ｅにも、蓋側区画壁部１３の長手方向に沿って、突条部１３ｅ１が形成されており、蓋側傾斜当接面１３ｅに形成された突条部１３ｅ１は、蓋側水平当接面１３ｄに形成された突条部１３ｄ１に連続して形成されている。蓋側傾斜当接面１３ｅは、下端周状フランジ部１２を越えて下方に下方に突出している。
【００２８】
本実施例には、蓋側区画壁部１３に形成された嵌合突部１３ｃと蓋側水平当接面１３ｄとの間に、凹部１４が形成されている例が示されているが、このような凹部１４は、適宜、省略することができ、この場合には、蓋側水平当接面１３ｄが、嵌合突部１３ｃまで延長されることになる。なお、１５は、蓋側傾斜当接面１３ｅの垂直端面１３ｅ２と、下端周状フランジ部１２と面一な蓋側区画壁部１３の端部下面部１３ｂ１とにより形成された切欠き部である。
【００２９】
蓋体Ｄ２の下端周状フランジ部１２の四隅には、下方に延在する嵌合凸部１６が形成されており、嵌合凸部１６は、本体Ｄ１に、蓋体Ｄ２を被せた際に、本体Ｄ１の上端周状フランジ部３の四隅に形成された嵌合凹部７に嵌合されるようにように構成されている。このように構成することにより、本体Ｄ１に対して、蓋体Ｄ２が水平移動するようなことを抑制することができる。
【００３０】
１７は、蓋体Ｄ２の天部１０を、内面側から上方に膨出することにより形成された段積み用外側膨出部であり、このような段積み用外側膨出部１７を形成することにより、天部１０の強度や剛性、ひいては、蓋体Ｄ２自体の強度や剛性を高めることができる。１８は、天部１０を、外面側から下方に膨出することにより形成された内側膨出部であり、このような内側膨出部１８を、天部１０の物品が接触する部分に形成することにより、天部１０の上方への変形を防止することができる。また、本体Ｄ１の物品収容下部空間Ａ１と蓋体Ｄ２の物品収容上部空間Ａ２とにより形成される物品収容空間Ａに、物品を収容した際に、内側膨出部１８の底面１８ａが、物品に接触或いは物品に接近して位置するように構成することにより、物品収容空間Ａに収容された物品の垂直方向への跳ね上がりを抑制することができる。
【００３１】
上述した構成を有する蓋体Ｄ２は、上述した本体Ｄ１と同様に、熱可塑性シートを、真空成形や圧空成形により成形することにより、一体的に形成されている。
【００３２】
次に、図７〜図１１を用いて、本体Ｄ１への蓋体Ｄ２の被蓋状態等について説明する。
【００３３】
本体Ｄ１の物品収容下部空間Ａ１に、図示されていない物品の略下半分を収容した後、図７や図８に示されているように、本体Ｄ１の上方に、本体Ｄ１の物品収容下部空間Ａ１と対応する物品収容上部空間Ａ２が位置するように、蓋体Ｄ２を配置し、その後、本体Ｄ１の上端周状フランジ部３に、蓋体Ｄ２の下端周状フランジ部１２が、略重なるように載置することにより、図９や図１０に示されているように、本体Ｄ１に、蓋体Ｄ２を被せる。
【００３４】
本体Ｄ１が蓋体Ｄ２で被蓋された際には、図１０に示されているように、本体Ｄ１の本体側区画壁部４に形成された本体側水平当接面４ｄが、蓋体Ｄ２の蓋側区画壁部１３に形成された蓋側水平当接面１３ｄに当接し、また、本体Ｄ１の本体側区画壁部４に形成された本体側傾斜当接面４ｅが、蓋体Ｄ２の蓋側区画壁部１３に形成された蓋側傾斜当接面１３ｅに当接するように構成されている。従って、本体Ｄ１が蓋体Ｄ２で被蓋された際には、本体Ｄ１の物品収容下部空間Ａ１と蓋体Ｄ２の物品収容上部空間Ａ２とにより形成される物品収容空間Ａが、本体Ｄ１の本体側区画壁部４と蓋体Ｄ２の蓋側区画壁部１３とにより、略完全に区画されるので、ダネッジの運搬時や搬送時に、隣り合う物品収容空間Ａに収容された物品同士が、当接し合って、物品が損傷するようなことを防止することができる。
【００３５】
また、本体Ｄ１が蓋体Ｄ２で被蓋された際には、図１０に示されているように、本体Ｄ１の本体側区画壁部４に形成された本体側水平当接面４ｄが、蓋体Ｄ２の蓋側区画壁部１３に形成された蓋側水平当接面１３ｄに当接し、また、本体Ｄ１の本体側区画壁部４に形成された本体側傾斜当接面４ｅが、蓋体Ｄ２の蓋側区画壁部１３に形成された蓋側傾斜当接面１３ｅに当接するように構成されているので、下に位置するダネッジに、他のダネッジを段積みした際に、下に位置するダネッジの本体側区画壁部４と蓋側区画壁部１３とが、上下方向に連結した一種の支持柱として機能するので、下に位置するダネッジが、上に位置するダネッジの重量により、変形したり座屈するようなことを防止することができる。
【００３６】
更に、本体Ｄ１が蓋体Ｄ２で被蓋された際には、図１１に示されているように、本体Ｄ１の本体側水平当接面４ｄに形成された凹状溝部４ｄ１に、蓋体Ｄ２の蓋側水平当接面１３ｄに形成された突条部１３ｄ１が嵌合するように構成されており、同様に、本体Ｄ１の本体側傾斜当接面４ｅに形成された凹状溝部４ｅ１に、蓋体Ｄ２の蓋側傾斜当接面１３ｅに形成された突条部１３ｅ１が嵌合するように構成されている。このように、凹状溝部４ｄ１、４ｅ１に、突条部１３ｄ１、１３ｅ１が嵌合しているので、蓋体Ｄ２が、本体Ｄ１に対して、本体Ｄ１の周状側壁部２を形成する長側部２ａに沿って水平移動しようとした際に、蓋体Ｄ２の長側部２ａに沿った水平移動が抑制されることになる。また、凹状溝部４ｄ１、４ｅ１に、突条部１３ｄ１、１３ｅ１が嵌合しているので、ダネッジに、他のダネッジを段積みした際には、上に位置するダネッジの重量により、突条部１３ｄ１、１３ｅ１が、より深く、凹状溝部４ｄ１、４ｅ１に嵌合することになるので、ダネッジを段積みした際に、上に位置するダネッジが、下に位置するダネッジに対して、本体Ｄ１の周状側壁部２を構成する長側部２ａ方向に沿って移動するようなことを、より確実に防止することができるとともに、下に位置するダネッジの本体Ｄ１に対する蓋体Ｄ２の横方向のずれを、確実に防止することができる。
【００３７】
更にまた、本体Ｄ１が蓋体Ｄ２で被蓋された際には、図１０に示されているように、蓋体Ｄ２に形成された嵌合突部１３ｃが、本体Ｄ１に形成された嵌合凹部４ｃに嵌合されているとともに、本体Ｄ１に形成された隅突部６が、蓋体Ｄ２に形成された切欠き部１５に嵌合されるように構成されている。そして、この状態においては、蓋体Ｄ２に形成された嵌合突部１３ｃと、本体Ｄ１に形成された嵌合凹部４ｃ付近の周状側壁部２の長側部２ａとが接近して位置するとともに、本体Ｄ１に形成された隅突部６と、蓋体Ｄ２に形成された切欠き部１５を形成する蓋側傾斜当接面１３ｅの垂直端面１３ｅ２とが接近して位置するように構成されているので、蓋体Ｄ２が、本体Ｄ１に対して、本体Ｄ１の周状側壁部２を形成する短側壁２ｂに沿って水平移動しようとした際に、蓋体Ｄ２の上記の短側部２ｂに沿った水平移動が抑制されることになる。
【００３８】
なお更に、本体Ｄ１の本体側区画壁部４には、本体側傾斜当接面４ｅが形成されており、また、蓋体Ｄ２の蓋側区画壁部１３には、蓋側傾斜当接面１３ｅが形成されているので、本体Ｄ１への蓋体Ｄ２の被蓋作業の際に、蓋体Ｄ２が、本体Ｄ１に対して、本体Ｄ１の周状側壁部２を形成する短側壁２ｂ方向に、ずれていても、蓋体Ｄ２の蓋側区画壁部１３に形成された蓋側傾斜当接面１３ｅが、本体Ｄ１の本体側区画壁部４に形成された本体側傾斜当接面４ｅが載置されることになるので、従って、蓋体Ｄ２の蓋側区画壁部１３に形成された蓋側傾斜当接面１３ｅが、本体Ｄ１の本体側区画壁部４に形成された本体側傾斜当接面４ｅに沿って、本体Ｄ１の隅突部６方向にスライド移動するとともに、蓋体Ｄ２に形成された切欠き部１５を形成する蓋側傾斜当接面１３ｅの垂直端面１３ｅ２が、本体Ｄ１の隅突部６に当接し、本体Ｄ１の上端周状フランジ部３に、蓋体Ｄ２の下端周状フランジ部１２が、略重なるように載置された適正な状態に、蓋体Ｄ２が、本体Ｄ１に被蓋されることになる。
【００３９】
従来より、物品収容空間Ａに物品が収容された本体Ｄ１と蓋体Ｄ２とからなるダネッジを構成する蓋体Ｄ２に、他のダネッジを構成する本体Ｄ１を載置することにより、ダネッジを上下方向に段積みすることが行われているが、本発明のダネッジを段積みした際には、下に位置するダネッジの蓋体Ｄ２に形成されている段積み用外側膨出部１７が、上に位置するダネッジの本体Ｄ１に形成されている段積み用嵌合凹部９’に嵌合するように構成されているので、上に位置するダネッジが、下に位置するダネッジに対して、水平方向にずれるようなことが抑制され、従って、安定した状態で、ダネッジを段積みすることができる。
【００４０】
本発明は、本体Ｄ１と本体Ｄ１に被蓋される蓋体Ｄ２とからなるダネッジにおいて、本体Ｄ１を、底部１と周状側壁部２と上端周状フランジ部３と周状側壁部２の相対する長側部２ａを架橋する本体側区画壁部４とから構成するとともに、蓋体Ｄ２を、天部１０と周状側壁部１１と下端周状フランジ部１２と周状側壁部１１の相対する長側部１１ａを架橋する蓋側区画壁部１３とから構成し、本体Ｄ１を蓋体Ｄ２で被蓋した際には、本体Ｄ１の本体側区画壁部４と蓋体Ｄ２の蓋側区画壁部１３が当接するこうに構成したものである。このように、本体Ｄ１を蓋体Ｄ２で被蓋した際に、本体Ｄ１の本体側区画壁部４と蓋体Ｄ２の蓋側区画壁部１３が当接するように構成されているので、本体側区画壁部４と蓋側区画壁部１３とにより、物品が収容される物品収容空間Ａが、略完全に区画されるので、ダネッジの運搬時や搬送時に、隣り合う物品収容空間Ａに収容された物品同士が、当接し合って、物品が損傷するようなことを防止することができる。
【００４１】
また、本体Ｄ１を蓋体Ｄ２で被蓋した際に、本体Ｄ１の本体側区画壁部４と蓋体Ｄ２の蓋側区画壁部１３が当接するように構成されているので、下に位置するダネッジに、他のダネッジを段積みした際に、下に位置するダネッジの本体側区画壁部４と蓋側区画壁部１３とが、上下方向に連結された一種の支持柱として機能するので、下に位置するダネッジが、上に位置するダネッジの重量により、変形したり座屈するようなことを防止することができる。
【００４２】
更に、本体Ｄ１が蓋体Ｄ２で被蓋された際には、本体Ｄ１の本体側水平当接面４ｄに形成された凹状溝部４ｄ１に、蓋体Ｄ２の蓋側水平当接面１３ｄに形成された突条部１３ｄ１が嵌合するように構成されており、同様に、本体Ｄ１の本体側傾斜当接面４ｅに形成された凹状溝部４ｅ１に、蓋体Ｄ２の蓋側傾斜当接面１３ｅに形成された突条部１３ｅ１が嵌合するように構成されているので、蓋体Ｄ２が、本体Ｄ１に対して、本体Ｄ１の周状側壁部２を形成する長側部２ａに沿って水平移動しようとした際に、蓋体Ｄ２の長側部２ａに沿った水平移動が抑制されることになる。
【００４３】
更にまた、本体Ｄ１が蓋体Ｄ２で被蓋された際には、本体Ｄ１の本体側水平当接面４ｄに形成された凹状溝部４ｄ１に、蓋体Ｄ２の蓋側水平当接面１３ｄに形成された突条部１３ｄ１が嵌合するとともに、本体Ｄ１の本体側傾斜当接面４ｅに形成された凹状溝部４ｅ１に、蓋体Ｄ２の蓋側傾斜当接面１３ｅに形成された突条部１３ｅ１が嵌合するように構成されているので、ダネッジに、他のダネッジを段積みした際には、上に位置するダネッジの重量により、突条部１３ｄ１、１３ｅ１が、より深く、凹状溝部４ｄ１、４ｅ１に嵌合することになるので、ダネッジを段積みした際に、上に位置するダネッジが、下に位置するダネッジに対して、本体Ｄ１の周状側壁部２を構成する長側部２ａ方向に沿って移動するようなことを、より確実に防止することができるとともに、下に位置するダネッジの本体Ｄ１に対する蓋体Ｄ２の横方向のずれを、確実に防止することができる。
【００４４】
なお更に、本体Ｄ１への蓋体Ｄ２の被蓋作業の際に、蓋体Ｄ２の蓋側区画壁部１３に形成された蓋側傾斜当接面１３ｅが、本体Ｄ１の本体側区画壁部４に形成された本体側傾斜当接面４ｅが載置されるように構成されているので、蓋体Ｄ２が、本体Ｄ１に対して、本体Ｄ１の周状側壁部２を形成する短側壁２ｂ方向に、ずれていても、蓋体Ｄ２の蓋側区画壁部１３に形成された蓋側傾斜当接面１３ｅが、本体Ｄ１の本体側区画壁部４に形成された本体側傾斜当接面４ｅに沿って、本体Ｄ１の隅突部６方向にスライド移動することになるので、確実に、本体Ｄ１の上端周状フランジ部３に、蓋体Ｄ２の下端周状フランジ部１２が、略重なるような適正な状態に、本体Ｄ１に、蓋体Ｄ２を被せることができ、従って、本体Ｄ１への蓋体Ｄ２の被蓋作業の作業性が向上する。
【図面の簡単な説明】
【００４５】
【図１】図１は、本発明のダネッジを構成する本体の上方からの斜視図である。
【図２】図２は、本発明のダネッジを構成する本体の下方からの斜視図である。
【図３】図３は、本発明のダネッジを構成する本体の部分拡大斜視図である。
【図４】図４は、本発明のダネッジを構成する蓋体の下方からの斜視図である。
【図５】図５は、本発明のダネッジを構成する蓋体の上方からの斜視図である。
【図６】図６は、本発明のダネッジを構成する蓋体の部分拡大斜視図である。
【図７】図７は、本発明のダネッジを構成する本体が蓋体で被蓋されていない状態の長側部に沿った垂直断面図である。
【図８】図８は、本発明のダネッジを構成する本体が蓋体で被蓋されていない状態と蓋体の短側部に沿った垂直断面図である。
【図９】図９は、本発明のダネッジを構成する本体が蓋体で被蓋された状態の長側部に沿った垂直断面図である。
【図１０】図１０は、本発明のダネッジを構成する本体が蓋体で被蓋された状態と蓋体の短側部に沿った垂直断面図である。
【図１１】図１１は、図９の部分拡大斜視図である。
【符号の説明】
【００４６】
Ａ・・・・・・・・・・・・物品収容空間
Ａ１・・・・・・・・・・・物品収容下部空間
Ａ２・・・・・・・・・・・物品収容上部空間
Ｄ１・・・・・・・・・・・本体
Ｄ２・・・・・・・・・・・蓋体
１・・・・・・・・・・・・底部
２・・・・・・・・・・・・周状側壁部
３・・・・・・・・・・・・上端周状フランジ部
４・・・・・・・・・・・・本体側区画壁部
４ｄ・・・・・・・・・・・本体側水平当接面
４ｅ・・・・・・・・・・・本体側傾斜当接面
１０・・・・・・・・・・・天部
１１・・・・・・・・・・・周状側壁部
１２・・・・・・・・・・・下端周状フランジ部
１３・・・・・・・・・・・蓋体側区画壁部
１３ｄ・・・・・・・・・・蓋体側水平当接面
１３ｅ・・・・・・・・・・蓋体側傾斜当接面
【図１】
2006315696.tif 000003
【図２】
2006315696.tif 000004
【図３】
2006315696.tif 000005
【図４】
2006315696.tif 000006
【図５】
2006315696.tif 000007
【図６】
2006315696.tif 000008
【図７】
2006315696.tif 000009
【図８】
2006315696.tif 000010
【図９】
2006315696.tif 000011
【図１０】
2006315696.tif 000012
【図１１】
2006315696.tif 000013